(57)【要約】【課題】垂直面から水平面まで連続的にスプレーすることのできるスプレー装置を提供すること。【解決手段】圧縮空気の供給を受けることにより塗料を噴霧化するスプレーガンと、前記スプレーガンから延設され、前記スプレーガンの噴霧部と連通した中空状のアーム部材と、前記アーム部材にユニバーサルジョイントを介して連通状態で、かつ回動可能に垂下された塗料カップとから構成され、前記塗料カップの重心位置が前記ユニバーサルジョイントの取り付け位置より低いので、スプレーガンが傾いても塗料カップが常に垂直状態に維持され、塗料漏れや空吹きを生じることなく、垂直面から水平面まで連続的にスプレーすることができる。【選択図】  図１
2007130521.tif 000002
【特許請求の範囲】
【請求項１】
圧縮空気の供給を受けることにより塗料を噴霧化するスプレーガンと、
前記スプレーガンから延設され、前記スプレーガンの噴霧部と連通した中空状のアーム部材と、
前記アーム部材にユニバーサルジョイントを介して連通状態で、かつ回動可能に垂下された塗料カップとから構成され、
前記塗料カップの重心位置が前記ユニバーサルジョイントの取り付け位置より低いことを特徴とするスプレー装置。
【請求項２】
前記ユニバーサルジョイントは、固定用のナットを備え、任意の角度で固定可能であることを特徴とする請求項１に記載のスプレー装置。
【請求項３】
前記塗料カップは、スプレーガンを介して圧縮空気を供給するためのパイプが接続されたことを特徴とする請求項１または２に記載のスプレー装置。
【請求項４】
前記塗料カップは、前記ユニバーサルジョイントから延設された中空パイプを介して収容した塗料を前記スプレーガンに供給することを特徴とする請求項１〜３の何れか１に記載のスプレー装置。
【請求項５】
前記ユニバーサルジョイントは、シール部材によって密封されており、スプレーガンが回動しても水密性が確保されることを特徴とする請求項１〜４の何れか１に記載のスプレー装置。
【発明の詳細な説明】
【技術分野】
【０００１】
本発明は、塗装用のスプレーガンに関し、特に小規模の施工面積に適し、飛散防止および作業性に優れ、塗膜品質の良いカップガン方式のスプレー装置に関するものである。
【背景技術】
【０００２】
一般に、カップガン方式のスプレー装置は、図７、８に示すようにスプレーガン１に対して塗料カップ２が所定の角度で固定して取り付けられていた。また、スプレーガン１のノズル位置より下方に塗料カップ２が取り付けられている。
また、他の従来例として、特許文献１（特開２０００−３７６４３号公報）に示すように塗料カップをスプレーガンの位置より上に取り付けるとともに、塗料カップを回転可能な液密性継ぎ手を介して接続した構造のものが提案されている。
【特許文献１】特開２０００−３７６４３号公報
【発明の開示】
【発明が解決しようとする課題】
【０００３】
しかし、このような構成のスプレー装置では、図７、８に示すようにスプレーガン１をある程度傾けると、塗料の量が少ない場合に吸引パイプ３の先端が液面４から出てしまい、空吹き現象が生じると云う不具合が存在した。また、塗料の量が多い場合には、塗料カップ２の空気穴５から塗料が漏れる虞れがあった。
更に、特許文献１に示す構成のものにあっては、その都度、塗料カップのスプレーガンに対する取り付け角度を調整して固定しなければ、塗料漏れが生じると云う不具合が存在した。また、壁の塗装と天井の塗装を連続的に行うことができなかった。
【０００４】
この発明は、上記に鑑み提案されたもので、塗料漏れや空吹き現象が生じることのないスプレー装置を提供することを目的とするものである。
【課題を解決するための手段】
【０００５】
前記目的を達成するために、本発明は圧縮空気の供給を受けることにより塗料を噴霧化するスプレーガンと、前記スプレーガンから延設され、前記スプレーガンの噴霧部と連通した中空状のアーム部材と、前記アーム部材にユニバーサルジョイントを介して連通状態で、かつ回動可能に垂下された塗料カップとから構成され、前記塗料カップの重心位置が前記ユニバーサルジョイントの取り付け位置より低いことを特徴としている。
【０００６】
また、本発明において、前記ユニバーサルジョイントは、固定用のナットを備え、任意の角度で固定可能であることを特徴としている。
また、本発明において、前記塗料カップは、スプレーガンを介して圧縮空気を供給するためのパイプが接続されたことを特徴とする。
【０００７】
また、本発明において、前記塗料カップは、前記ユニバーサルジョイントから延設された中空パイプを介して収容した塗料を前記スプレーガンに供給することを特徴とするものである。
【０００８】
また、本発明において、前記ユニバーサルジョイントは、シール部材によって密封されており、スプレーガンが回動しても水密性が確保されることを特徴とするものである。
【発明の効果】
【０００９】
この発明は前記した構成からなるので、以下に説明するような効果を奏することができる。
【００１０】
本発明では、圧縮空気の供給を受けることにより塗料を噴霧化するスプレーガンと、前記スプレーガンから延設され、前記スプレーガンの噴霧部と連通した中空状のアーム部材と、前記アーム部材にユニバーサルジョイントを介して連通状態で、かつ回動可能に垂下された塗料カップとから構成され、前記塗料カップの重心位置が前記ユニバーサルジョイントの取り付け位置より低いので、スプレーガンが傾いても塗料カップが常に垂直状態に維持され、塗料漏れや空吹きを生じることなく、垂直面から水平面まで連続的にスプレーすることができる。
【００１１】
また、本発明において前記ユニバーサルジョイントは、固定用のナットを備え、任意の角度で固定可能であるので壁面や天井面のみに塗布する場合は、塗布面に合わせて塗料カップの取り付け角度を固定することができる。
【００１２】
また、本発明において前記塗料カップは、スプレーガンを介して圧縮空気を供給するためのパイプが接続されたので、粘性の高い塗料を塗布する場合には、塗料カップ内を加圧して塗布量を増すことができる。
【００１３】
また、本発明では、前記塗料カップは、前記ユニバーサルジョイントから延設された中空パイプを介して収容した塗料を前記スプレーガンに供給するので、塗料カップのスプレーガンに対する取り付け位置を低くでき、塗料カップの重心位置を常に低くできる。
【００１４】
また、本発明において、前記ユニバーサルジョイントは、シール部材によって密封されており、スプレーガンが回動しても水密性が確保されるので、スプレーガンが回動しても接続部から塗料が漏れる虞れがない。
【発明を実施するための最良の形態】
【００１５】
本発明は、ユニバーサルジョイントを介して塗料カップがスプレーガンに接続されので、スプレーガンの噴霧方向を変えても塗料カップが自重で傾き、塗料漏れや空吹きの虞れがなく、水平状態から仰角、俯角状態に至るまで連続的に噴霧することができる。
【実施例】
【００１６】
以下、一実施の形態を示す図面に基づいて本発明を詳細に説明する。図１は本発明に係るスプレー装置の全体構成を示す斜視図、図２は本発明のスプレー装置におけるユニバーサルジョイント部を示す要部拡大断面図である。ここで、スプレー装置１０は、供給パイプ１１から図外のコンプレッサーで作られた圧縮空気の供給を受けることにより塗料を噴霧化するスプレーガン１２と、前記スプレーガン１２から横に延設され、前記スプレーガンの噴霧部１２ａと連通した中空状のアーム部材１３と、前記アーム部材１３にユニバーサルジョイント１４を介して連通状態で、かつ回動可能に垂下された塗料カップ１５とから構成されている。
【００１７】
スプレーガン１２は、レバー１８を引くとにより供給パイプ１１から供給された圧縮空気を利用して噴霧部１２ａで霧吹きの原理によって塗料カップ１５内に収納された塗料を噴霧する。また、ユニバーサルジョイント１４は、固定用のナット１６、例えば、蝶ナットを備え、任意の角度で固定可能である。また、塗料カップ１５の重心Ｇの位置が前記ユニバーサルジョイント１４の取り付け位置より低く設定されている。
【００１８】
図２は、本発明のスプレー装置におけるユニバーサルジョイント部を示す要部拡大断面図である。本実施例では、アーム部材１３は、スプレーガン１２から垂下された中空状の接続アーム１７を介して、スプレーガン１２と接続されている。接続アーム１７の下端には、ネジ１７ａが形成されており、このネジに螺合するナット１９によってアーム部材１３が接続されている。アーム部材１３の他端には、ユニバーサルジョイント１４が配置されている。ユニバーサルジョイント１４は、アーム部材１３の端部に垂直でかつ回動可能に取り付けられた接続部１４ａと、この接続部１４ａを水密状に保持するＯリング２０と、接続部１４ａとアーム部材１３との接続関係を締め付け或いは緩めるナット（蝶ナット）１６と、ワッシャ２１等を備えている。アーム部材１３に形成された中空部１３ａは、ナット１６の螺合される側端近傍で外周方向に開口した開口路１３ｂと略直交する。この開口路１３ｂに対応した位置に接続部１４ａの中空部１４ｂが位置するように配設されている。また、接続部１４ａには、ナット２２によって塗料カップ１５が取り付けられるとともに、この接続部１４ａから延設された中空パイプ２３が塗料カップ１５の内部まで垂下されている。
【００１９】
＜ユニバーサルジョイントの機能＞
ユニバーサルジョイント１４は、ナット（蝶ナット）１６を緩めた状態では、接続部１４ａがアーム部材１３の周りに自由に回動することができるとともに、アーム部材１３との連通が確保される。また、Ｏリング２０によって液密性が保持されている。また、ナット１６を締めると、接続部１４ａの回動は阻止されて、アーム部材１３との取り付け角度が固定される。したがって、ナット１６を緩めた状態では、接続部１４ａはその先に取り付けられた塗料カップ１５および収納した塗料の重さに従って、自由に回転して垂直状態を維持することができる。
【００２０】
また、塗料カップ１５には、スプレーガン１２を介して圧縮空気を供給するためのパイプ２４が接続されている。塗料カップ１５に圧縮空気を供給することによりスプレーガン１２の噴霧部１２ａへの塗料の供給を円滑にすることができる。
【００２１】
以上のように構成されたスプレー装置１０の使用方法について説明する。先ず、図３に示すように垂直面（壁面）を塗布する場合、塗料カップ１５はスプレーガン１２からほぼ直角に垂下している。また、図４に示すように天井面に塗布する場合、塗料カップ１５はスプレーガン１２とほぼ平行になっている。次に、図５に示すように、壁等の垂直面を塗布する場合で、塗布する高さ位置が変化するとき、作業者の腕の位置よりやや高い位置に塗布する場合は実線で示すように、スプレーガン１２が上を向いても塗料カップ１５がユニバーサルジョイント１４を中心に回転して鉛直を保持する。また、作業者の腕の位置よりやや低い位置に塗布する場合は想像線で示すように、スプレーガン１２が下を向いても塗料カップ１５がユニバーサルジョイント１４を中心に回転して鉛直を保持する。
【００２２】
図６は、天井面を塗布する場合の塗布位置の変化による状態を示す説明図である。想像線で示すように作業者の頭上近傍に塗布する際は、スプレーガン１２がほぼ垂直に向いており、頭上からやや離れた周囲の天井に塗布する際は、実線で示すようにスプレーガン１２がやや傾く。何れの場合でも、塗料カップ１５は垂直状態を保持して中空パイプ２３から空気を吸い込む虞れがない。また、塗料カップ１５から塗料が漏れる虞れもない。
【００２３】
なお、本発明のスプレー装置によれば、ユニバーサルジョイント１４のナット１６を緩めたままにしておけば、壁面から天井面まで連続して塗布することができる。
また、スプレーガン１２からの塗布に際して、パイプ２４から圧縮空気を塗料カップ１５内に供給すれば、塗料カップから噴霧部１２ａへの塗料の供給を安定させることができる。特に、粘度の高い塗料の場合に効果的である。
【図面の簡単な説明】
【００２４】
【図１】図１は、本発明に係るスプレー装置の全体構成を示す斜視図である。
【図２】図２は、同スプレー装置におけるユニバーサルジョイント部を示す要部拡大断面図である。
【図３】図３は、同スプレー装置により垂直面に塗布する状態を示す説明図である。
【図４】図４は同スプレー装置により天井面に塗布する状態を示す説明図である。
【図５】図５は、垂直面を塗布する場合の高さ位置の変化による状態を示す説明図である。
【図６】図６は、天井面を塗布する場合の塗布位置の変化による状態を示す説明図である。
【図７】図７従来のスプレー装置を使用して、垂直面に塗布する状態を示す説明図である。
【図８】図８は、従来のスプレー装置を使用して、天井面に塗布する状態を示す説明図である。
【符号の説明】
【００２５】
１０      スプレー装置
１１      供給パイプ
１２      スプレーガン
１２ａ    噴霧部
１３      アーム部材
１３ａ    中空部
１３ｂ    開口路
１４      ユニバーサルジョイント
１４ａ    接続部
１４ｂ    中空部
１５      塗料カップ
１６      ナット（蝶ナット）
１７      接続アーム
１８      レバー
１９      ナット
２０      Ｏリング
２１      ワッシャ
２２      ナット
２３      中空パイプ
２４      パイプ
【図１】
2007130521.tif 000003
【図２】
2007130521.tif 000004
【図３】
2007130521.tif 000005
【図４】
2007130521.tif 000006
【図５】
2007130521.tif 000007
【図６】
2007130521.tif 000008
【図７】
2007130521.tif 000009
【図８】
2007130521.tif 000010